(57)【要約】【課題】無線音響装置のユーザが任意の接続先に接続を行ない、その接続先からの音声情報を再生する。【解決手段】本発明は、複数の無線接続先のうち、１つの無線接続先を決定する手段（Ｓ２，Ｓ３）と、選択された無線接続先から送信される音声情報を出力する手段（Ｓ９）とを具備することを特徴とする無線音響装置。【選択図】    図４
2004208171.tif 000002
【特許請求の範囲】
【請求項１】
複数の無線接続先のうち、１つの無線接続先を決定する手段と、
前記選択された無線接続先から送信される音声情報を出力する手段と
を具備することを特徴とする無線音響装置。
【請求項２】
前記決定手段は、
前記複数の無線接続先を示す情報を、所定の識別情報とともに音声により出力する手段と、
前記所定の識別情報を選択することにより、前記１つの無線接続先を決定する手段と
を具備することを特徴とする請求項１記載の無線音響装置。
【請求項３】
前記決定手段は、
前記複数の無線接続先から送信される音声情報を順次所定時間ごとに出力する手段と、
所定のイベントが発生したことを検出する手段と、
前記所定のイベントが検出された時に出力されている音声情報を送信した無線接続先を、前記１つの無線接続先として決定する手段と
を具備することを特徴とする請求項２記載の無線音響装置。
【請求項４】
前記無線音響装置は、無線ヘッドセットであることを特徴とする請求項１記載の無線音響装置。
【請求項５】
ユーザによって入力される無線接続先を示す音声情報を認識する手段と、
前記認識された音声情報によって示される無線接続先から送信される音声情報を出力する手段と
を具備することを特徴とする無線音響装置。
【請求項６】
前記無線音響装置は、無線ヘッドセットであることを特徴とする請求項５記載の無線音響装置。
【請求項７】
複数の無線接続先のうち、１つの無線接続先を決定し、
前記選択された無線接続先から送信される音声情報を出力することを特徴とする無線音響装置における音声取得方法。
【請求項８】
前記決定ステップは、
前記複数の無線接続先を示す情報を、所定の識別情報とともに音声により出力し、
前記所定の識別情報を選択することにより、前記１つの無線接続先を決定するステップを含むことを特徴とする請求項７記載の音声取得方法。
【請求項９】
前記決定ステップは、
前記複数の無線接続先から送信される音声情報を順次所定時間ごとに出力し、
所定のイベントが検出された時に出力されている音声情報を送信した無線接続先を、前記１つの無線接続先として決定するステップを含むことを特徴とする請求項７記載の音声取得方法。
【請求項１０】
ユーザによって入力される無線接続先を示す音声情報を認識し、
前記認識された音声情報によって示される無線接続先から送信される音声情報を出力することを特徴とする無線音響装置における音声取得方法。
【発明の詳細な説明】
【０００１】
【発明の属する技術分野】
本発明は、無線音響装置及び無線音響装置における音声取得方法に関する。
【０００２】
【従来の技術】
無線ヘッドセットに代表される無線音響装置においては、複数ある接続先の中から１つの接続先に対して接続を行なう場合、接続しようとする接続先を特定する必要がある。
【０００３】
しかしながら、無線ヘッドセットに代表される音響装置には情報処理装置のようにディスプレイなどのユーザインターフェイスを有しないため、複数ある接続先のうち、１つの接続先を選択すること自体の処理が困難である。
【０００４】
このようなユーザインターフェイスを有しない音響装置において、複数の接続先のうち、１つの接続先を選択する方法として、接続先から予め接続先を示す情報を得て保存し、無線接続の際には、当該保存された接続先を示す情報を利用して接続を行なう技術が開示されている（特許文献１参照。）。
【０００５】
【特許文献１】
米国特許出願公開公報  ＵＳ２００２／０１１１１４０  （図３）
【０００６】
【発明が解決しようとする課題】
しかしながら、上述の技術においては、予め保存された接続先を示す情報を利用して接続を行なうため、音響装置のユーザが他の接続先に接続を行ないたい場合であっても、ホスト機器から新たに接続先を示す情報を送信してもらわなければ、当該他の接続先に無線音響装置側から接続を行なうことができないという問題があった。
【０００７】
本発明は、上記実情に鑑みてなされたものであり、無線音響装置のユーザが任意の接続先に接続を行ない、その接続先からの音声情報を再生することができる無線音響装置及び同装置における音声取得方法を提供することを目的とする。
【０００８】
【課題を解決するための手段】
本発明の第１の発明は、複数の無線接続先のうち、１つの無線接続先を決定する手段と、前記選択された無線接続先から送信される音声情報を出力する手段とを具備することを特徴とする無線音響装置、である。
【０００９】
【発明の実施の形態】
以下、図面を参照して、本発明の実施の形態に係る無線ヘッドセットについて説明する。
【００１０】
図１は、本発明の一実施の形態に係わる無線ヘッドセット１とその接続先となるパーソナルコンピュータ（以下、ＰＣという）２とを示す図である。
【００１１】
同図に示すように、無線ヘッドセット１とＰＣ２との間はＰＣ１に搭載されたアンテナ４７と無線ヘッドセット２に搭載されたアンテナ３１を通して後述するBluetooth（Ｒ）通信部同士で無線による接続を行い、データの送受信を行う。
【００１２】
ここでは、BluetoothのAVプロファイルに従って、ＰＣ１からトランスポートチャネルを使ってストリーミングにより送信される音声データを、無線ヘッドセット２にて受信することで無線ヘッドセット２で音声データを取得することが出来る。
【００１３】
また、ヘッドセット２からトランスポートチャネルを使ってストリーミングにより送信される音声データを、ＰＣ１にて受信することでＰＣ１で音声データを取得することが出来る。なお、トランスポートチャネルの接続や切断は制御用のチャネルであるシグナリングチャネルを使ってコマンドを送受信することで行われる。
【００１４】
図２は、ワイヤレスヘッドセットの回路構成を示すブロック図である。
【００１５】
３１はアンテナであり、このアンテナ３１にBluetooth通信部３２を接続している。このBluetooth通信部３２は他のBluetooth通信機器と通信するものである。
【００１６】
音声処理部３４は、その受信側においてBluetooth通信部３２からの音声データにかけられている圧縮を解除して伸長した後にこれをアナログ化してスピーカ３５より出力させる。
【００１７】
一方、音声処理部３４の送信側においては、マイクロフォン３６から入力されたアナログ音声信号をA/D変換し、得たデジタル音声データを圧縮した後にBluetooth通信部３２に出力する。
【００１８】
そして、これらBluetooth通信部３２、及び音声処理部３４には、制御部３７を接続し、この制御部３７にＲＡＭ３８及びＲＯＭ３９を接続している。
【００１９】
ここで制御部３７は、ＣＰＵ等で構成され、ＲＡＭ３８に記憶された所定のプログラムに基づいて、このヘッドセット全体を制御するもので、ＲＯＭ３９が制御部３７での制御動作プログラム等を記録している。また、音声処理部３４から入力されたデジタル音声データを音声認識する機能も備える。
【００２０】
さらに、制御部３７は、無線ヘッドセットのユーザインターフェイスであるボタンＡ及びボタンＢからのイベントを検出して、このイベントに応答して、制御動作プログラムにしたがった処理を行なう。なお、これらボタンＡ及びボタンＢは、接続先を選択するものであってもよいし、また、他の機能ボタンと併用されていてもよい。
【００２１】
ＲＡＭ３８は、制御部３７での制御により取扱われる各種データを一時的に記憶するワークエリアと、ヘッドセットの各種情報を記憶するエリアとを有する。
【００２２】
図３は、Bluetooth通信機能を備えたパーソナルコンピュータ(PC)の回路構成を示すブロック図である。これは普通のPCにBlutooth通信機能を備えたものであり、PC内部にBluetooth通信機能を内蔵している場合と、PCカード接続やUSB接続によりBleutooth通信装置を外付けしている場合があるがそのどちらであっても構わない。
【００２３】
出力部４１はLCD等の表示装置で、ユーザに対する情報表示を行う。入力部４２はキーボードやマウスなどのユーザの入力を伝える装置である。制御部４３はPC全体の制御を行う。ＲＡＭ４４は制御部４３での制御により取扱われる各種データを一時的に記憶するワークエリアとして使用される。ＲＯＭ４５はＢＩＯＳなどを格納する。ＨＤＤ４６はＰＣにおいて動作させる各種プログラムやデータの保存や読み出し用として使用される。４７はアンテナであり、このアンテナ４７にBluetooth通信部４８を接続している。このBluetooth通信部４８は他のBluetooth通信機器と通信するものである。
【００２４】
次に、本発明の実施の形態に係る無線ヘッドセットの動作について説明する。
【００２５】
＜第１の実施の形態＞
本発明の実施の形態においては、音声合成を使って、Inquiry（問い合わせ）で見つかったBD_ADDR（ブルートゥースアドレス）、RemoteNameを見つかった順番を示す番号とともに再生し、その番号の数だけある特定のキーを押すことで無線ヘッドセット２をＰＣ１と接続する。
【００２６】
図４は、本発明の第１の実施の形態に係る無線ヘッドセットからＰＣに接続する場合の無線ヘッドセット側の処理のフローチャートである。主として制御部３７がＲＯＭ３９に記録されている制御動作プログラムに基づいて実行するものである。
【００２７】
まず、無線ヘッドセット２は接続先であるＰＣ１を見つけるためにインクワイアリを実行し、無線ヘッドセット２近傍に存在しているBluetoothによる無線接続が可能な機器の情報を検索する（Ｓ１）。
【００２８】
次に、Ｓ１によって見つかった機器情報を音声処理部３４を通して音声に変換してスピーカ３５で再生する（Ｓ２）。具体的には、最初に見つかった機器のBD_ADDRが「00:50:CD:13:A4:AF」であった場合には、「イチ、ゼロゼロ、ゴーゼロ、シーディー、イチサン、エーヨン、エーエフ」、2番目に見つかった機器のBD_ADDRが「00:06:EF:89:34:21」であった場合には、「ニ、ゼロゼロ、ゼロロク、イーエフ、ハチキュウ、サンヨン、ニイチ」というようにＲＯＭ３９にあらかじめ記録されている、BD_ADDRを表すのに用いられる0から9とAからFに対応する音声データを組み合わせて再生する。
【００２９】
次に、ユーザのキー入力があるかどうかを判断し（Ｓ３）、キー入力がない場合にはＳ２の処理を繰り返す。ここで、ユーザのキー入力があった場合には、そのキー入力を監視して、例えばキーＡが２回押下された後にキーＢが押下された場合には、２番目に読み上げられたBD_ADDRが選択されたものとして、その２番目のBD_ADDRを取得した後（Ｓ４）、そのBD_ADDRの機器に対して無線リンクの接続を行なう（Ｓ５）。
【００３０】
無線リンクが確立したら、シグナリングチャネルを確立する（Ｓ６）。次に、Ｓ６で確立されたシグナリングチャネルを使ってトランスポートチャネルを接続するために必要なデータを送受信した後、トランスポートチャネルを確立する（Ｓ７）。
【００３１】
トランスポートチャネルが確立されることによりＰＣ１からのストリーミングが開始され（Ｓ８）、ＰＣ１から送信される音声データがトランスポートチャネルを経由してワイヤレスヘッドセット２に送信され、ワイヤレスヘッドセット２にて音声を聞くことが可能となり（Ｓ９）、ワイヤレスヘッドセット２においてストリーミングを終了させるための手続きがユーザによって行われるまでの間ストリーミングを継続する（Ｓ１０）。
【００３２】
ここで、ストリーミングが終了させられた場合には、トランスポートチャネルの切断を行い（Ｓ１１）、シグナリングチャネルの切断を行い（Ｓ１２）、無線リンクの切断を行う（Ｓ１３）ことで一連の動作が終了する。
【００３３】
図５は、ワイヤレスヘッドセット２からＰＣ１に対して接続を行う際のＰＣ１における処理内容を示すフローチャートで、主として制御部４３がＲＯＭ４５に記録されている制御動作プログラムに基づいて実行するものである。
【００３４】
まず、ＰＣ２は相手機器からの接続を待機する状態になる（Ｓ２１）。ここで相手からの接続がない場合にはそのまま接続待機中を継続する。相手からの接続があった場合には（Ｓ２２）、Bluetoothの無線リンクの接続要求を受信するため、それに対する接続受け入れの応答を返すことで無線リンクが確立する（Ｓ２３）。
【００３５】
次に、Bluetooth AVプロファイルで規定されているシグナリングチャネルを確立するための要求を、L2CAPプロトコルを用いた論理リンクを使って受信するため、それに対する接続受け入れの応答を返すことでシグナリングチャネルを確立する（Ｓ２４）。
【００３６】
次に、トランスポートチャネルの接続要求を受信するため、それに対する接続受け入れの応答を返すことでトランスポートチャネルが確立し（Ｓ２５）、トランスポートチャネルを通してＰＣ１からストリーミングでの音声データの送信が開始され（Ｓ２６）、ストリーミングが終了するまでストリーミングにより音声データを送信し続ける（Ｓ２７）。
【００３７】
次に、ヘッドセット２においてストリーミングを終了させるための手続きによりストリーミングが終了させられた場合には（Ｓ２８）、トランスポートチャネルの切断要求を受け取りそれに対する受け入れの応答を行い（Ｓ２９）、シグナリングチャネルの切断要求を受け取りそれに対する受け入れの応答を行い（Ｓ３０）、無線リンクの切断要求を受け取りそれに対する受け入れの応答を行う（Ｓ３１）ことで一連の動作が終了する。
【００３８】
以上の手続きを行うことで、ヘッドセット２から特定の接続先であるＰＣ１に対して接続しに行くことが可能となる。
【００３９】
したがって、本発明の実施の形態における無線ヘッドセットによれば、２つのボタンＡ及びボタンＢを具備するだけで、特定の接続先であるＰＣ１を選択して接続することが可能となる。
【００４０】
なお、ＰＣ１に接続したときの情報を、ＲＡＭ３８に保存し、次に、再びＰＣ１に接続する場合には、ＲＡＭ３８に保存されている情報を用いて接続するようにしても構わない。
【００４１】
また、上述の実施の形態においては、無線ヘッドセットの２つのキーを用いて、接続先を選択する場合について説明したが、選択の方法はこれに限られるものではなく、識別情報及び無線接続先を示す情報を無線ヘッドセットのユーザインターフェイスを使用して特定することができればよい。
【００４２】
＜第２の実施の形態＞
上述の実施の形態においては、見つかった順番の番号とそれに対応するBD_ADDRを音声で再生し、キー入力によってその番号をユーザに選択させるようにしていた。
【００４３】
本発明の実施の形態においては、あらかじめ接続しようとしている相手機器のBD_ADDRがわかっている場合に、マイク３６からユーザが接続先のBD_ADDRを「ゼロゼロ、ゴーゼロ、シーディー、イチサン、エーヨン、エーエフ」と音声で入力することにより、音声処理部３４でその音声を音声認識を用いて「00:50:CD:13:A4:AF」という値であることを認識し、認識されたBD_ADDRに対してＳ５からの処理を行う。
【００４４】
図６は、本発明の実施の形態に係る無線ヘッドセットの動作を説明するためのフローチャートである。
【００４５】
同図に示すように、まず、音声入力があるか否かの判断が行なわれ（Ｓ４１）、音声入力があると判断された場合には、次に、入力された音声の認識が実行される（Ｓ４２）。
【００４６】
なお、ここでの音声入力は、上述のように、ユーザがBD_ADDRを音声で話すことにより行なわれる。その後、音声認識によって認識されたBD_ADDRを取得し（Ｓ４３）、図４において説明したＳ５以降の処理が行なわれる。
【００４７】
したがって、本発明の実施の形態の無線ヘッドセットによれば、ユーザが直接、接続対象となる機器を示す情報を音声入力することにより、無線ヘッドセット側から情報処理装置に接続することができる。
【００４８】
なお、ＰＣ１に接続したときの情報を、ＲＡＭ３８に保存し、次に再びＰＣ１に接続する場合には、ＲＡＭ３８に保存されている情報を用いて接続するようにしても構わない。
【００４９】
＜第３の実施の形態＞
次に、本発明の第３の実施の形態に係る無線ヘッドについて説明する。
【００５０】
図７は、ワイヤレスヘッドセットからＰＣに接続する場合のワイヤレスヘッドセット側の処理のフローチャートである。主として制御部３７がＲＯＭ３９に記録されている制御動作プログラムに基づいて実行するものである。
【００５１】
まず、ワイヤレスヘッドセット２は近傍にある接続可能なBluetooth機器を探すためにインクワイアリを実行し、ワイヤレスヘッドセット２近傍に存在しているBluetoothによる無線接続が可能な機器の情報を検索する（Ｓ５１）。
【００５２】
次に、Ｓ５１にて見つかった接続可能な機器の情報のリストを作成する（Ｓ５２）。このリストは、BD_ADDRが順番に並んだようなものとする。次に、Ｓ５２で作成されたリストからあるBD_ADDRを取得し（Ｓ５３）、Ｓ５３で取得したBD_ADDRの機器に対して無線リンクの接続を行い（Ｓ５４）、無線リンクが確立したら、シグナリングチャネルを確立する（Ｓ５５）。
【００５３】
次に、Ｓ５５で確立されたシグナリングチャネルを使ってトランスポートチャネルを接続するために必要なデータを送受信した後、トランスポートチャネルを確立する（Ｓ５６）。
【００５４】
トランスポートチャネルが確立されることによりＰＣ１からのストリーミングが開始され、ＰＣ１から送信される音声データがトランスポートチャネルを経由してワイヤレスヘッドセット２に送信され、ワイヤレスヘッドセット２にて音声を聞くことが可能となる（Ｓ５７、Ｓ５８）。
【００５５】
次に、Ｓ５７のストリーミング開始から一定時間経過したかを判断し（Ｓ５９）、一定時間が経過したと判断された場合には、トランスポートチャネルの切断を行い（Ｓ６０）、シグナリングチャネルの切断を行い（Ｓ６１）、無線リンクの切断を行う（Ｓ６２）。
【００５６】
次に、接続先リストの最後にきているかを判断し（Ｓ６３）、リストの最後にきていた場合にはリストの先頭を選択するように変更する（Ｓ６４）。また、Ｓ６３にてリストの最後ではないと判断された場合には、リストの次の情報を選択するように変更し（Ｓ６５）、再びＳ５３の処理に移行する。
【００５７】
また、Ｓ５９にて一定時間が経過していないと判断された場合には、ユーザによるキー操作があるかどうかを判断し（Ｓ６６）、キー入力がないと判断された場合には、Ｓ５８のストリーミングを継続する。
【００５８】
Ｓ６７にてキー入力があったと判断された場合には、ユーザが現在のストリーミングを継続して聞くことを選択したとみなし、そのままストリーミングを継続し（Ｓ６７）、ストリーミングがユーザによって終了させられたと判断されるまで（Ｓ６８）、Ｓ６７によるストリーミングが継続される。
【００５９】
以上の手続きを行うことでも、接続先を選択するユーザインターフェースを備えていないヘッドセット２からでも、特定の接続先であるＰＣ１を選択して接続しに行くことが可能となる。
【００６０】
なお、一定時間で次の接続に行くようにしているが、これをＳ６６のキー操作の判断に使われているキーとは別のキーが押された場合にＳ６０に移行して次の接続に行くようにしても構わない。
【００６１】
また、ＰＣ１に接続したときの情報を、実施例１のようにＲＡＭ３８に保存し、次に再びＰＣ１に接続する場合には、ＲＡＭ３８に保存されている情報を用いて接続するようにしても構わない。
【００６２】
したがって、本発明の実施の形態の無線ヘッドによれば、一定時間毎に順次接続対象となる機器からの音声信号を出力し、所定のキー入力が行なわれた時に出力されている音声信号を送信している機器に接続対象を特定することにより、複数の接続先から任意の機器を特定することができる。
【００６３】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００６４】
【発明の効果】
以上詳記したように、本発明によれば、無線音響装置のユーザが任意の接続先に接続を行ない、その接続先からの音声情報を再生することができる。
【図面の簡単な説明】
【図１】本発明の一実施の形態に係わる無線ヘッドセット１とその接続先となるパーソナルコンピュータ２とを示す図である。
【図２】ワイヤレスヘッドセットの回路構成を示すブロック図である。
【図３】Bluetooth通信機能を備えたパーソナルコンピュータ(PC)の回路構成を示すブロック図である。
【図４】本発明の第１の実施の形態に係る無線ヘッドセットからＰＣに接続する場合の無線ヘッドセット側の処理のフローチャートである。
【図５】ワイヤレスヘッドセット２からＰＣ１に対して接続を行う際のＰＣ１における処理内容を示すフローチャートである。
【図６】本発明の実施の形態に係る無線ヘッドセットの動作を説明するためのフローチャートである。
【図７】ワイヤレスヘッドセットからＰＣに接続する場合のワイヤレスヘッドセット側の処理のフローチャートである。
【符号の説明】
１…ヘッドセット、
２…ＰＣ、
３１…アンテナ、
３２…通信部、
３４…音声処理部、
３５…スピーカ、
３６…マイクロフォン、
３７…制御部、
３８…ＲＡＭ、
３９…ＲＯＭ、
４１…出力部、
４２…入力部、
４３…制御部、
４４…ＲＡＭ、
４５…ＲＯＭ、
４６…ＨＤＤ、
４８…通信部。
【図１】
2004208171.tif 000003
【図２】
2004208171.tif 000004
【図３】
2004208171.tif 000005
【図４】
2004208171.tif 000006
【図５】
2004208171.tif 000007
【図６】
2004208171.tif 000008
【図７】
2004208171.tif 000009